(57)【要約】      （修正有）【課題】操作盤の前面を開閉する開閉部材の開閉動作により電源が断続されるようにした電子レンジを提供する。【解決手段】多数の操作ボタン２１を有する操作盤２０と、前記操作ボタン２１が設けられた操作盤２０の所定部位を開閉するため、前記操作盤２０に装着される開閉部材３０と、前記開閉部材３０の開閉によって電源供給を断続する電源スイッチとを含む。【選択図】図３
2004212035.tif 000002
【特許請求の範囲】
【請求項１】
多数の操作ボタンを有する操作盤と、
前記操作ボタンが設けられた操作盤の所定部位を開閉するため、前記操作盤に装着される開閉部材と、
前記開閉部材の開閉によって電源供給を断続する電源スイッチとを含んでなることを特徴とする電子レンジ。
【請求項２】
前記操作ボタンは前記制御盤の前面の上部又は下部に設けられ、
前記開閉部材は前記操作盤の前記操作ボタンが設けられた部分より大きいサイズを有することを特徴とする請求項１に記載の電子レンジ。
【請求項３】
前記電子レンジは、前記操作盤を開閉するため、前記開閉部材を上昇させる上昇手段をさらに含むことを特徴とする請求項２に記載の電子レンジ。
【請求項４】
前記昇降手段は、
前記操作盤の両側に長手方向に形成された案内溝と、
前記操作盤の側面を覆うように前記開閉部材の両側で折曲された折曲部と、
前記案内溝に進入するように前記折曲部の端部でさらに折曲されてなる案内レールとを含むことを特徴とする請求項３に記載の電子レンジ。
【請求項５】
前記電子レンジは、
前記開閉部材が上昇したとき、前記開閉部材を保持するため、前記操作盤の上部に設けられる所定弾性を有する保持突起と、
前記保持突起と結合するように、前記開閉部材の内側面に設けられる保持凹部とをさらに含むことを特徴とする請求項３に記載の電子レンジ。
【請求項６】
前記電源スイッチは、前記開閉部材が前記操作盤を覆うとき、前記開閉部材により押され、電源供給を遮断することを特徴とする請求項１に記載の電子レンジ。
【請求項７】
前記電源スイッチは前記操作盤の上部側面に位置することを特徴とする請求項６に記載の電子レンジ。
【請求項８】
前記電源スイッチは、前記操作盤の上部側面から突出して外部に露出される押し部を含むことを特徴とする請求項６に記載の電子レンジ。
【請求項９】
多数の操作ボタンが設けられた操作盤と、
前記操作ボタンが設けられた操作盤の所定部位を開閉するため、前記操作盤に摺動可能に装着される開閉部材とを含んでなることを特徴とする電子レンジ。
【請求項１０】
電子レンジを制御する操作盤と、
前記操作盤を露出させると同時に電子レンジに電源を供給するか、或いは前記操作盤を覆うと同時に電子レンジへの電源供給を遮断する露出部材とを含んでなることを特徴とする電子レンジ。
【請求項１１】
前記露出部材は前記操作盤を覆う第１位置と前記操作盤を露出させる第２位置との間で摺動するカバーを含むことを特徴とする請求項１０に記載の電子レンジ。
【請求項１２】
前記電子レンジは、前記操作盤を覆う位置にあるとき、前記露出部材を保持するため、前記操作盤の両側に設けられた保持突起をさらに含むことを特徴とする請求項１１に記載の電子レンジ。
【請求項１３】
前記保持突起はリーフバネからなることを特徴とする請求項１２に記載の電子レンジ。
【請求項１４】
前記保持突起は前記操作盤の側面に一体的に形成されることを特徴とする請求項１２に記載の電子レンジ。
【発明の詳細な説明】
【技術分野】
【０００１】
本発明は電子レンジに係り、より詳しくは操作盤の前面を開閉する開閉部材を有する電子レンジに関するものである。
【背景技術】
【０００２】
電子レンジは高周波を用いて飲食物を調理するもので、飲食物を内部から加熱する誘電加熱方式により飲食物を調理する装置である。かかる電子レンジは、飲食物を収納する調理室と、該調理室の内部に高周波を供給して飲食物を調理する高周波加熱装置として通常のマグネトロンとを備える。
【０００３】
また、通常の電子レンジは、前面に調理室を開閉するためのドアが設けられ、各種の電装品を収容する電装室の前面には電子レンジの諸般動作の制御のための多数の操作ボタンと動作状態の表示のための表示部とを有する操作盤が設けられている。
【０００４】
ところが、このような電子レンジは、操作盤に設けられた多数の操作ボタンが外部に露出しているため、室内空間の埃などにより操作ボタンが汚染し得るだけでなく、子供などが遊びで操作ボタンを操作する場合、電子レンジが不要に動作し得る欠点があった。さらに、このような電子レンジは、電源が連結されている状態でも使用していない場合が多くて、電力消耗が無駄に高くなる欠点があった。
【発明の開示】
【発明が解決しようとする課題】
【０００５】
したがって、本発明はこのような従来の問題点に鑑みてなされたもので、その目的は、操作ボタンが設けられた操作盤の前面が開閉できるようになった電子レンジを提供することにある。
本発明のほかの目的は、使用者が操作盤の前面を開閉する動作により電源が断続されるようにする電子レンジを提供することにある。
【課題を解決するための手段】
【０００６】
前記のような目的を達成するため、本発明は、多数の操作ボタンを有する操作盤と、前記操作ボタンが設けられた操作盤の所定部位を開閉するため、前記操作盤に装着される開閉部材と、前記開閉部材の開閉によって電源供給を断続する電源スイッチとを含んでなる電子レンジを提供する。
【０００７】
前記操作ボタンは前記制御盤の前面の上部又は下部に設けられ、前記開閉部材は前記操作盤の前記操作ボタンが設けられた部分より大きいサイズを有する。
【０００８】
前記電子レンジは、前記操作盤を開閉するため、前記開閉部材を上昇させる上昇手段をさらに含む。
【０００９】
前記昇降手段は、前記操作盤の両側に長手方向に形成された案内溝と、前記操作盤の側面を覆うように前記開閉部材の両側で折曲された折曲部と、前記案内溝に進入するように前記折曲部の端部でさらに折曲されてなる案内レールとを含む。
【００１０】
前記電子レンジは、前記開閉部材が上昇したとき、前記開閉部材を保持するため、前記操作盤の上部に設けられる所定弾性を有する保持突起と、前記保持突起と結合するように、前記開閉部材の内側面に設けられる保持凹部とをさらに含む。
【００１１】
前記電源スイッチは、前記開閉部材が前記操作盤を覆うとき、前記開閉部材により押され、電源供給を遮断する。
【発明の効果】
【００１２】
本発明による電子レンジは、操作盤に設けられた開閉部材で操作ボタンの前面を開閉することができるので、電子レンジを使用しないとき、室内空間の埃などにより操作ボタンが汚染する問題を防止するだけでなく、子供などが操作ボタンを誤って操作することにより電子レンジが無駄に動作することを防止することができる。
また、本発明は、開閉部材が操作ボタンの前面を覆ったとき、電源スイッチにより電源供給が遮断されるので、無駄な電力消耗を防止することができる。
【発明を実施するための最良の形態】
【００１３】
以下、本発明による好ましい実施例を添付図面に基づいて詳細に説明する。
図１及び図２に示すように、本発明による電子レンジは、本体１０の内部が、飲食物の調理のための調理室１１と、各種の電気部品の内装のための電装室１２とに区画される。調理室１１は飲食物の収納ができるように前面が開放され、開放前面には調理室１１の開閉のためのドア１３が取り付けられる。また、調理室１１の内部には飲食物の搭載のためのトレイ１４が回転可能に設けられ、調理室１１の下部と本体１０の下部との間には前記トレイ１４を回転させるための駆動モータ１５が設けられる。
【００１４】
電装室１２の内部には、調理室１１内に高周波を供給するための通常のマグネトロン１６、該マグネトロン１６に高電圧を供給するための高圧トランス１７、電装室１２の冷却のための循環ファン１８などの各種の電気部品が設けられる。
【００１５】
また、電装室１２の前面には、使用者が電子レンジの動作を制御し得るようにする多数の操作ボタン２１、及び動作状態を表示する表示部２２が設けられた操作盤２０が設けられる。そして、この操作盤２０の前面には、使用者が操作ボタン２１の前面を開閉し得るように、操作盤２０に上下に摺動可能に開閉部材３０が設けられる。
【００１６】
図３及び図４に示すように、操作盤２０は電装室１２の前面部と対応するサイズで、内部に通常の回路基板（図示せず）を内装する箱状のパネルからなる。電子レンジの動作制御のための多数の操作ボタン２１は操作盤２０の前面上部に設けられ、操作ボタン２１の上側には、動作状態を表示するもので、ＬＣＤなどからなる表示部２２が設けられる。
【００１７】
開閉部材３０は、操作ボタン２１及び表示部２２を覆うように、これらが設けられた部分の面積より大きく形成され、操作盤２０の両側と開閉部材３０の両端間に設けられる昇降案内手段により上下方に摺動して操作盤２０の上部を開閉する。
【００１８】
この開閉部材３０の昇降動作のため、操作盤２０の両側面には上下方に案内溝２３が形成され、開閉部材３０には、その両側端で操作盤２０の側面を覆うように折曲された折曲部３１と、該折曲部３１の端部から前記案内溝２３に進入するようにさらに折曲され、案内溝２３に沿って昇降する案内レール３２とが設けられる。
【００１９】
図５及び図６に示すように、操作盤２０の上部両側面には、操作ボタン２１及び表示部２２が設けられた操作盤２０の上部を覆うため、開閉部材３０が上昇したとき、開閉部材３０が上昇したままで維持できるようにするもので、弾性保持突起２４が設けられる。この保持突起２４は、図示のように、別に製作された曲面バネを操作盤２０に取り付ける方式で具現することができるが、操作盤２０の製造過程で操作盤２０の側面に一体的に形成することもできる。そして、開閉部材３０には、前記弾性保持突起２４に対応する位置の折曲部３１の内面に、前記弾性保持突起２４がかかる所定深さの保持凹部３４が形成される。このような構成は、使用者が開閉部材３０を押し上げて操作ボタン２１の前面を閉じたとき、開閉部材３０が自重により下降してしまう問題を防止するためのものである。
【００２０】
また、操作盤２０の上部には、開閉部材３０を上昇させて操作ボタン２１の前面を閉じたとき、外部から印加される電源が遮断され、開閉部材３０を下降させて操作ボタン２１の前面を開けたとき、電源が接続されるようにする電源スイッチ４０が設けられる。この電源スイッチ４０は操作盤３０の上部側面の内側に設けられ、押し部４１が操作盤２０の側面を貫通して外部に露出する状態となるように設けられる。
【００２１】
したがって、開閉部材３０を押し上げて操作ボタン２１の前面を閉じたとき、外部に露出した電源スイッチ４０の押し部４１が開閉部材３０の折曲部３１の内面により押されて電源を遮断し、開閉部材３０を下降させて操作ボタン２１の前面を開けると、電源スイッチ４０の押し部４１の押圧状態が解除して電源を接続させる。
【００２２】
このような操作盤２０の構成は、使用者が電子レンジを使用しないとき、開閉部材３０を押し上げて操作ボタン２１の前面を覆うことにより、埃などにより操作ボタン２１が汚染する問題を防止し、子供などが操作ボタン２１を誤って操作して電子レンジが無駄に動作する問題点を防止することができる。また、開閉部材３０で操作ボタン２１の前面を覆った場合、電源スイッチ４０により電源が遮断されるので、無駄な電力消耗を防止することができる。
【図面の簡単な説明】
【００２３】
【図１】本発明による電子レンジの構成を示す斜視図である。
【図２】図１の線II-II’についての断面図である。
【図３】開閉部材が開いたとき、図１の電子レンジの操作盤の構成を示す斜視図である。
【図４】開閉部材が閉じたとき、図１の電子レンジの操作盤の構成を示す斜視図である。
【図５】図１の電子レンジの操作盤の開閉部材が開いたとき、電源スイッチと保持突起の構成を示す正面図である。
【図６】図１の電子レンジの操作盤の開閉部材が閉じたとき、電源スイッチと保持突起の構成を示す正面図である。
【符号の説明】
【００２４】
１０  本体
１１  調理室
１２  電装室
１３  ドア
２０  操作盤
２１  操作ボタン
２２  表示部
２３  案内溝
２４  保持突起
３０  開閉部材
３１  折曲部
３２  案内レール
３４  保持凹部
４０  電源スイッチ
４１  押し部
【図１】
2004212035.tif 000003
【図２】
2004212035.tif 000004
【図３】
2004212035.tif 000005
【図４】
2004212035.tif 000006
【図５】
2004212035.tif 000007
【図６】
2004212035.tif 000008